(57)【要約】【課題】被検物測定装置において、放射線撮影により取得された被検物を表す画像データに基づいてこの被検物の測定対象部位の実寸を定量的に測定する。【解決手段】被検物と既知の長さを持つ基準部材とを同じ倍率で放射線撮影して取得された画像データを入力して表示画面１１上にその画像を表示させ、基準部材５の上記既知の長さを示す基準部位６の画像上における両端位置を入力ペン２０で入力し、上記既知の長さの実寸値をキーボードから入力し、表示画面１１上に表示された被検物１の、長さを測定しようとする測定対象部位２の画像上における両端位置をマウス２５で入力し、演算手段５０Ａにより、上記基準部位６の両端位置間の画像上における長さとこの基準部位６の両端位置間の実寸との対応関係に基づいて、上記測定対象部位２の両端位置間の画像上における長さを実寸に換算してこの測定対象部位２の両端位置間の実寸値を求める。【選択図】　　　　　図１
2004144651.tif 000002
【特許請求の範囲】
【請求項１】
被検物と既知の長さを持つ基準部材とを同じ倍率で放射線撮影して取得された画像データを入力する画像データ入力手段と、
前記画像データを表示画面上に表示する表示手段と、
前記表示画面上に表示された前記基準部材の前記既知の長さを示す部位の画像上における両端位置を入力する基準位置入力手段と、
前記既知の長さの実寸値を入力する実寸値入力手段と、
前記表示画面上に表示された前記被検物の、長さを測定しようとする測定対象部位の画像上における両端位置を入力する測定位置入力手段と、
前記基準部材の既知の長さを示す部位の両端位置間の画像上における長さと該部位の両端位置間の実寸との対応関係に基づいて、前記入力された測定対象部位の両端位置間の画像上における長さを実寸に換算して該測定対象部位の両端位置間の実寸値を求める演算手段と、
前記演算手段によって求められた前記実寸値を表示する結果表示手段とを備えたことを特徴とする被検物測定装置。
【請求項２】
被検物と既知の長さを持つ基準部材とを同じ倍率で放射線撮影して取得された画像データを入力する画像データ入力手段と、
前記画像データを表示画面上に表示する表示手段と、
前記表示画面上に表示された前記基準部材の前記既知の長さを示す部位の画像上における両端位置を検出する位置検出手段と、
前記既知の長さの実寸値を入力する実寸値入力手段と、
前記表示画面上に表示された前記被検物の、長さを測定しようとする測定対象部位の画像上における両端位置を入力する測定位置入力手段と、
前記基準部材の既知の長さを示す部位の両端位置間の画像上における長さと該部位の両端位置間の実寸との対応関係に基づいて、前記入力された測定対象部位の両端位置間の画像上における長さを実寸に換算して該測定対象部位の両端位置間の実寸値を求める演算手段と、
前記演算手段によって求められた前記実寸値を表示する結果表示手段とを備えたことを特徴とする被検物測定装置。
【請求項３】
被検物と既知の長さを持つ基準部材とを同じ倍率で放射線撮影して取得された画像データを入力する画像データ入力手段と、
前記画像データを表示画面上に表示する表示手段と、
前記表示画面上に表示された前記基準部材の前記既知の長さを示す部位の画像上における両端位置を入力する基準位置入力手段と、
前記既知の長さの実寸値を入力する実寸値入力手段と、
前記表示画面上に表示された前記被検物の、面積を測定しようとする測定対象部位の画像上における領域を入力する測定領域入力手段と、
前記基準部材の既知の長さを示す部位の両端位置間の画像上における長さと該部位の両端位置間の実寸との対応関係に基づいて、前記入力された測定対象部位を示す領域の画像上における面積を実面積に換算して該測定対象部位の領域の実面積値を求める演算手段と、
前記演算手段によって求められた実面積値を表示する結果表示手段とを備えたことを特徴とする被検物測定装置。
【請求項４】
被検物と既知の長さを持つ基準部材とを同じ倍率で放射線撮影して取得された画像データを入力する画像データ入力手段と、
前記画像データを表示画面上に表示する表示手段と、
前記表示画面上に表示された前記基準部材の前記既知の長さを示す部位の画像上における両端位置を検出する位置検出手段と、
前記既知の長さの実寸値を入力する実寸値入力手段と、
前記表示画面上に表示された前記被検物の、面積を測定しようとする測定対象部位の画像上における領域を入力する測定領域入力手段と、
前記基準部材の既知の長さを示す部位の両端位置間の画像上における長さと該部位の両端位置間の実寸との対応関係に基づいて、前記入力された測定対象部位を示す領域の画像上における面積を実面積に換算して該測定対象部位の領域の実面積値を求める演算手段と、
前記演算手段によって求められた実面積値を表示する結果表示手段とを備えたことを特徴とする被検物測定装置。
【発明の詳細な説明】
【０００１】
【発明の属する技術分野】
本発明は、被検物測定装置に関し、詳しくは、放射線撮影して取得された被検物を表す画像に基づいてこの被検物に関する定量的な測定を行なう被検物測定装置に関するものである。
【０００２】
【従来の技術】
従来より、被検物を放射線撮影して取得した画像に基づいてこの被検物の内部の状態を検査する非破壊検査装置が知られている。上記非破壊検査装置では、放射線源から照射され被検物を透過して直進する放射線を放射線像変換パネル等の記録媒体上に爆射してこの放射線が担持する放射線エネルギをこの記録媒体に潜像として記録し、上記潜像を記録媒体から読み出して被検物の内部の状態を表す画像データを取得した後、すなわち放射線撮影を行なった後、この画像データが表す画像に基づいて上記被検物の内部の状態の検査が行なわれる（例えば、特許文献１参照）。
【０００３】
【特許文献１】
特許第２６４２５６９号公報
【０００４】
【発明が解決しようとする課題】
しかしながら、放射線撮影により取得された画像データによって表される被検物の画像はこの被検物の真の大きさを示すものではなく、また、非破壊検査においては、一般に測定対象部位が被検物の内部に存在し、分解あるいは破壊することなくその部位の寸法等を定量的に測定することが難しいという問題がある。そのため、この被検物の内部に存在する測定対象部位の真の長さ（以後、実寸という）や真の面積（以後、実面積という）を定量的に測定したいという強い要請がある。
【０００５】
本発明は、上記事情に鑑みてなされたものであり、本発明の第１の目的は放射線撮影により取得された被検物を表す画像データに基づいてこの被検物の測定対象部位の実寸を定量的に測定することができる被検物測定装置を提供することにあり、本発明の第２の目的は放射線撮影により取得された被検物を表す画像データに基づいてこの被検物の測定対象部位の実面積を定量的に測定することができる被検物測定装置を提供することにある。
【０００６】
【課題を解決するための手段】
本発明の第１の被検物測定装置は、被検物と既知の長さを持つ基準部材とを同じ倍率で放射線撮影して取得された画像データを入力する画像データ入力手段と、前記画像データを表示画面上に表示する表示手段と、表示画面上に表示された基準部材の前記既知の長さを示す部位の画像上における両端位置を入力する基準位置入力手段と、前記既知の長さの実寸値を入力する実寸値入力手段と、表示画面上に表示された被検物の、長さを測定しようとする測定対象部位の画像上における両端位置を入力する測定位置入力手段と、基準部材の既知の長さを示す部位の両端位置間の画像上における長さとこの部位の両端位置間の実寸との対応関係に基づいて、前記入力された測定対象部位の両端位置間の画像上における長さを実寸に換算してこの測定対象部位の両端位置間の実寸値を求める演算手段と、演算手段によって求められた実寸値を表示する結果表示手段とを備えたことを特徴とするものである。
【０００７】
本発明の第２の被検物測定装置は、被検物と既知の長さを持つ基準部材とを同じ倍率で放射線撮影して取得された画像データを入力する画像データ入力手段と、前記画像データを表示画面上に表示する表示手段と、表示画面上に表示された基準部材の前記既知の長さを示す部位の画像上における両端位置を検出する位置検出手段と、前記既知の長さの実寸値を入力する実寸値入力手段と、表示画面上に表示された被検物の、長さを測定しようとする測定対象部位の画像上における両端位置を入力する測定位置入力手段と、基準部材の既知の長さを示す部位の両端位置間の画像上における長さとこの部位の両端位置間の実寸との対応関係に基づいて、前記入力された測定対象部位の両端位置間の画像上における長さを実寸に換算してこの測定対象部位の両端位置間の実寸値を求める演算手段と、演算手段によって求められた実寸値を表示する結果表示手段とを備えたことを特徴とするものである。
【０００８】
本発明の第３の被検物測定装置は、被検物と既知の長さを持つ基準部材とを同じ倍率で放射線撮影して取得された画像データを入力する画像データ入力手段と、前記画像データを表示画面上に表示する表示手段と、表示画面上に表示された基準部材の前記既知の長さを示す部位の画像上における両端位置を入力する基準位置入力手段と、前記既知の長さの実寸値を入力する実寸値入力手段と、表示画面上に表示された被検物の、面積を測定しようとする測定対象部位の画像上における領域を入力する測定領域入力手段と、基準部材の既知の長さを示す部位の両端位置間の画像上における長さとこの部位の両端位置間の実寸との対応関係に基づいて、前記入力された測定対象部位を示す領域の画像上における面積を実面積に換算してこの測定対象部位の領域の実面積値を求める演算手段と、演算手段によって求められた実面積値を表示する結果表示手段とを備えたことを特徴とするものである。
【０００９】
本発明の第４の被検物測定装置は、被検物と既知の長さを持つ基準部材とを同じ倍率で放射線撮影して取得された画像データを入力する画像データ入力手段と、前記画像データを表示画面上に表示する表示手段と、表示画面上に表示された基準部材の前記既知の長さを示す部位の画像上における両端位置を検出する位置検出手段と、前記既知の長さの実寸値を入力する実寸値入力手段と、表示画面上に表示された被検物の、面積を測定しようとする測定対象部位の画像上における領域を入力する測定領域入力手段と、基準部材の既知の長さを示す部位の両端位置間の画像上における長さとこの部位の両端位置間の実寸との対応関係に基づいて、前記入力された測定対象部位を示す領域の画像上における面積を実面積に換算してこの測定対象部位の領域の実面積値を求める演算手段と、記演算手段によって求められた実面積値を表示する結果表示手段とを備えたことを特徴とするものである。
【００１０】
前記表示手段の表示画面を例えば感圧式パネルとした場合には、前記画像上における両端位置を入力する基準位置入力手段には、前記表示画面上に表示された上記両端位置を表示画面上から触れて入力する入力ペンを採用することができる。
【００１１】
また、被検物と既知の長さを持つ基準部材とを同じ倍率で放射線撮影するには、例えば、放射線を放射する放射線源と、この放射線源から照射され前記被検物と基準部材とを通った放射線の爆射を受けてこれらの放射線画像情報を記録する記録媒体との間に被検物および基準部材を配置し、放射線源から被検物までの距離と記録媒体から被検物までの距離との比率、放射線源から基準部材までの距離と記録媒体から基準部材までの距離との比率が互いに等しくなるようにして放射線撮影する方式を採用することができる。
【００１２】
【発明の効果】
本発明の第１の被検物測定装置および第２の被検物測定装置は、被検物と既知の長さを持つ基準部材とを同じ倍率で放射線撮影して取得された画像データを入力する画像データ入力手段と、前記画像データを表示画面上に表示する表示手段と、表示画面上に表示された基準部材の上記既知の長さを示す部位の画像上における両端位置を入力する基準位置入力手段、あるいは、表示画面上に表示された基準部材の上記既知の長さを示す部位の画像上における両端位置を検出する位置検出手段と、上記既知の長さの実寸値を入力する実寸値入力手段と、表示画面上に表示された被検物の、長さを測定しようとする測定対象部位の画像上における両端位置を入力する測定位置入力手段と、基準部材の既知の長さを示す部位の両端位置間の画像上における長さとこの部位の両端位置間の実寸との対応関係に基づいて、上記入力された測定対象部位の両端位置間の画像上における長さを実寸に換算してこの測定対象部位の両端位置間の実寸値を求める演算手段と、この演算手段によって求められた実寸値を表示する結果表示手段とを備えているので、被検物と既知の長さを持つ基準部材とを同じ倍率で放射線撮影して取得された画像データに基づいて、この被検物の測定対象部位の実寸を定量的に測定することができる。
【００１３】
本発明の第３の被検物測定装置および第４の被検物測定装置は、被検物と既知の長さを持つ基準部材とを同じ倍率で放射線撮影して取得された画像データを入力する画像データ入力手段と、前記画像データを表示画面上に表示する表示手段と、表示画面上に表示された基準部材の上記既知の長さを示す部位の画像上における両端位置を入力する基準位置入力手段、あるいは、表示画面上に表示された基準部材の上記既知の長さを示す部位の画像上における両端位置を検出する位置検出手段と、上記既知の長さの実寸値を入力する実寸値入力手段と、表示画面上に表示された被検物の、面積を測定しようとする測定対象部位の画像上における領域を入力する測定領域入力手段と、基準部材の既知の長さを示す部位の両端位置間の画像上における長さとこの部位の両端位置間の実寸との対応関係に基づいて、上記入力された測定対象部位を示す領域の画像上における面積を実面積に換算してこの測定対象部位の領域の実面積値を求める演算手段と、演算手段によって求められた実面積値を表示する結果表示手段とを備えているので、被検物と既知の長さを持つ基準部材とを同じ倍率で放射線撮影して取得された画像データに基づいて、この被検物の測定対象部位の実面積を定量的に測定することができる。
【００１４】
【発明の実施の形態】
以下、本発明の実施の形態について、図面を用いて説明する。図１は本発明の実施の形態による被検物測定装置の概略構成を示す図、図２は放射線撮影して取得された画像データによって表される被検物および基準部材の画像を示す図、図３は、放射線撮影装置の概略構成を示す図、図４は基準部材の既知の長さを示す部位の両端位置間の画像上における長さとこの部位の両端位置間の実寸との対応関係を示す図である。
【００１５】
本発明の第１の実施の形態による被検物測定装置１００Ａは、後述する放射線撮影装置９０により同じ倍率で放射線撮影して取得された被検物１および既知の長さを持つ基準部材５を表す画像データＥ１を入力して、被検物１の測定対象部位の長さの実寸値を測定する装置であり、上記測定に伴う画像データおよび信号の入出力等に関する制御を行なう信号制御部６０を備えている。また、被検物１は金属部品を収容した密封ケースである。
【００１６】
この被検物測定装置１００Ａは、放射線撮影装置９０で取得された画像データＥ１を入力する画像データ入力手段である画像入力部３５と、入力された画像データＥ１が表す画像を表示画面１１上に表示する表示手段であるテレビモニタ１０と、表示画面１１上に表示された基準部材５の上記既知の長さを示す部位（以後、基準部位６という）の画像上における両端位置である位置６Ａと位置６Ｂとを入力する基準位置入力手段である入力ペン２０と、表示画面１１上に表示された上記基準部位６の画像上における両端位置である位置６Ａと位置６Ｂとを自動的に検出する位置検出手段３０と、上記基準部位６の両端位置を入力ペン２０で入力するマニュアルモード、あるいは上記基準部位６の両端位置を位置検出手段３０によって自動的に検出させる自動モードの設定の切り替えを行なうモード設定スイッチ５５と、上記既知の長さの実寸値を入力する実寸値入力手段であるキーボード４０と、表示画面１１上に表示された被検物１の、長さを測定しようとする測定対象部位２の画像上における両端位置を入力する測定位置入力手段であるマウス２５とを備えている。上記画像入力部３５、テレビモニタ１０、入力ペン２０、位置検出手段３０、モード設定スイッチ５５、キーボード４０、およびマウス２５はそれぞれ信号制御部６０に接続されており、信号制御部６０が上記構成要素に対する信号および画像データの入出力の制御等を行なう。
【００１７】
さらに、上記被検物測定装置１００Ａは、表示画面１１上に表示された基準部位６の両端位置である６Ａと６Ｂ間の画像上における長さとこの基準部位６の両端位置間の実寸との対応関係に基づいて、上記入力された測定対象部位２の両端位置間の画像上における長さを実寸に換算してこの測定対象部位２の両端位置間の実寸値を求める演算手段５０Ａと、演算手段５０Ａによって求められた実寸値を表示する結果表示手段である結果表示用テレビモニタ１５とを備えている。上記演算手段５０Ａおよび結果表示用テレビモニタ１５も信号制御部６０に接続されており、上記と同様に信号制御部６０が上記構成要素に対する信号および画像データの入出力の制御等を行なう。
【００１８】
なお、テレビモニタ１０の表示画面１１は感圧式パネルになっており、表示画面１１上に表示されている画像の位置を入力ペン２０で触れることにより、この位置に対応する画像上における位置を入力することができる。
【００１９】
上記被検物測定装置１００Ａと放射線撮影装置９０とで非破壊検査装置が構成されており、放射線撮影装置９０は、放射線を放射する放射線源９１、放射線源９１から照射され被検物１を透過した放射線の爆射を受けてこの放射線が担持する放射線エネルギを被検物１の潜像として記録する記録媒体９２、記録媒体９２に記録された潜像を読み出す読出部９３とを備えている（図３参照）。ここで、放射線源９１から照射された放射線Ｈは記録媒体９２に向けて放射状に広がるので、被検物１と基準部材５とを同じ倍率で放射線撮影するには、放射線源９１から被検物１（より正確には、被検物１の測定対象部位２）までの距離Ｄ１と放射線源９１から記録媒体９２までの距離Ｄ２との比Ｄ１／Ｄ２の値が、放射線源９１から基準部材５までの距離Ｃ１と放射線源９１から記録媒体９２までの距離Ｃ２との比Ｃ１／Ｃ２の値に等しくなるように、被検物１と基準部材５とを配置する必要がある。なお、記録媒体９２としては、例えば、基板上に蓄積性蛍光体層を積層して作成した放射線像変換パネル等を用いることができる。この場合、読出部９３としては、励起光の照射により上記蓄積性蛍光体層から発生した輝尽発光光を検出し、この蓄積性蛍光体層に潜像として記録された放射線像を読み取る放射線像読取装置を用いることができる。
【００２０】
なお、上記放射線撮影の方式によれば、被検物１および基準部材５の配置を工夫しても、放射線が放射状に照射されることに起因する位置による撮影倍率の微妙な違いを完全に無くすことはできないが、上記方式により、非破壊検査等において要求される測定精度範囲内での被検物の実寸の定量的な測定を行なうことができる。
【００２１】
次に上記実施の形態における作用について説明する。
【００２２】
放射線撮影装置９０により被検物１と既知の長さを持つ基準部材５とを同じ倍率で放射線撮影して取得された画像データＥ１が、放射線撮影装置９０から画像入力部３５を通して信号制御部６０に入力され、この画像データＥ１に基づいて上記被検物１と基準部材５とを表す画像がテレビモニタ１０の表示画面１１上に表示される。
【００２３】
ここで、モード設定スイッチ５５がマニュアルモードに設定されているときには、上記表示画面１１上に表示された基準部位６の画像上の両端位置である位置６Ａと位置６Ｂとを入力ペン２０でマーキングすることによりこれらの位置が信号制御部６０に入力され記憶される。また、モード設定スイッチ５５が自動モードに設定されている場合には、位置検出手段３０が上記画像データＥ１を入力し、予めこの位置検出手段３０に入力され記憶されている基準部位６の両端位置の形状を示す画像データを参照して、この形状に一致する画像を画像データＥ１で表される画像上において特定することにより、表示画面１１上に表示されている基準部位６の画像上の両端位置である位置６Ａと位置６Ｂを自動的に検出する。そして、これらの位置を示す情報が信号制御部６０に入力され記憶される。
【００２４】
次に、上記既知の長さの実寸値がキーボード４０から入力され、また、表示画面１１上に表示された被検物１の、長さを測定しようとする測定対象部位２の画像上における両端位置である位置２Ａと位置２Ｂとがマウス２５を用いて入力され、上記測定対象部位２の両端位置の画像上の位置２Ａと位置２Ｂ、および実寸値が信号制御部６０に記憶される。
【００２５】
つづいて、上記のようにして信号制御部６０に記憶された、画像データＥ１、画像上における基準部位６の位置６Ａと位置６Ｂ、基準部位６の位置６Ａと位置６Ｂ間の実寸値、および画像上における測定対象部位２の位置２Ａと位置２Ｂが演算手段５０Ａに入力され、演算手段５０Ａにより、位置６Ａと位置６Ｂ間の画像上における長さと、位置６Ａと位置６Ｂ間の実寸との対応関係に基づいて、位置２Ａと位置２Ｂ間の画像上における長さを実寸に換算してこの位置２Ａと位置２Ｂ間の実寸値が求められる。
【００２６】
すなわち、図４の、縦軸に実寸、横軸に画像上における長さを取った座標上に示すように、位置６Ａと位置６Ｂ間の画像上における長さＬ１と、位置６Ａと位置６Ｂ間の実寸値Ｒ１との比に基づいて、上記対応関係を示す原点Ｏを通る直線Ｋ１が求められる。これにより、位置２Ａと位置２Ｂ間の画像上における長さＬ２を実寸に換算してこの位置２Ａと位置２Ｂ間の実寸値Ｒ２が求められる。
【００２７】
演算手段５０Ａによって求められた実寸値Ｌ２は、信号制御部６０を通して結果表示用テレビモニタ１５の表示画面１６上に表示される。
【００２８】
上記のように本発明の第１の実施の形態によれば、放射線撮影により取得された被検物を表す画像データに基づいて測定対象部位の実寸を定量的に測定することができる。
【００２９】
図５は本発明の第２の実施の形態の被検物測定装置１００Ｂの概略構成を示す図、図６は放射線撮影して取得された画像データによって表される被検物および基準部材の画像を示す図である。
【００３０】
第２の実施の形態の被検物測定装置１００Ｂは、放射線撮影装置９０により同じ倍率で放射線撮影して取得された被検物１および既知の長さを持つ基準部材５を表す画像データＥ２を入力して、この被検物１の測定対象部位３の実面積を測定する装置であり、演算手段５０Ｂ以外は第１の実施の形態と同様の構成からなるものである。以下、第１の実施の形態の被検物測定装置１００Ａと同様の構成については同じ符号を使用し説明を省略する。
【００３１】
上記本発明の第２の実施の形態による被検物測定装置１００Ｂは、基準部材５の既知の長さを示す基準部位６の両端位置である位置６Ａと位置６Ｂ間の画像上における長さと、この位置６Ａと位置６Ｂ間の実寸との対応関係に基づいて、測定対象部位の画像上における面積を実面積に換算してこの領域の実面積値を求める演算手段５０Ｂを備えている。
【００３２】
その他、この被検物測定装置１００Ｂは、画像データ入力手段である画像入力部３５と、表示手段であるテレビモニタ１０と、基準位置入力手段である入力ペン２０と、マウス２５と、位置検出手段３０と、モード設定スイッチ５５と、キーボード４０と、信号制御部６０と、結果表示手段である結果表示用テレビモニタ１５とを備えている。
【００３３】
マウス２５は、ここでは表示画面１１上に表示された被検物１の、面積を測定しようとする測定対象部位３の画像上における領域を入力する測定領域入力手段として使用される。
【００３４】
次に上記第２の実施の形態における作用について説明する。
【００３５】
放射線撮影装置９０により被検物１と既知の長さを持つ基準部材５とを同じ倍率で放射線撮影して取得された画像データＥ２が、放射線撮影装置９０から画像入力部３５を通して信号制御部６０に入力され、この画像データＥ２が表す被検物１と基準部材５の画像がテレビモニタ１０の表示画面１１上に表示される。
【００３６】
ここで、モード設定スイッチ５５がマニュアルモードに設定されているときには、上記表示画面１１上に表示された基準部位６の画像上の両端位置である位置６Ａと位置６Ｂとを入力ペン２０でマーキングすることによりこれらの位置が信号制御部６０に入力され記憶される。また、モード設定スイッチ５５が自動モードに設定されている場合には、位置検出手段３０が上記画像データＥ２を入力し、予めこの位置検出手段３０に入力され記憶されている基準部位６の両端位置の形状を示す画像データを参照して、この形状に一致する画像を画像データＥ２で表される画像上において特定することにより、表示画面１１上に表示されている基準部位６の画像上の両端位置である位置６Ａと位置６Ｂを自動的に検出する。そして、これらの位置を示す情報が信号制御部６０に入力され記憶される。
【００３７】
次に、上記既知の長さの実寸値がキーボード４０から入力され、また、表示画面１１上に表示された被検物１の、面積を測定しようとする４角形状の測定対象部位３の画像上における領域３Ｇを囲む各辺が交わる交点を示すの位置３Ａ、位置３Ｂ、位置３Ｃ、位置３Ｄがマウス２５を用いて入力され、上記実寸値および測定対象部位３の画像上における領域３Ｇを表す位置情報が信号制御部６０に記憶される。
【００３８】
つづいて、上記のようにして信号制御部６０に記憶された、画像データＥ２、画像上における基準部位６の位置６Ａと位置６Ｂ、基準部位６の位置６Ａと位置６Ｂ間の実寸値、および画像上における測定対象部位３の領域３Ｇを表す画像上における位置３Ａ、位置３Ｂ、位置３Ｃ、および位置３Ｄが信号制御部６０から演算手段５０Ｂに入力され、演算手段５０Ｂにより、位置６Ａと位置６Ｂ間の画像上における長さと、位置６Ａと位置６Ｂ間の実寸との対応関係に基づいて、上記入力された測定対象部位３を示す領域３Ｇの画像上における面積を実面積に換算してこの領域の実面積値が求められる。
【００３９】
すなわち、上記対応関係である、基準部材５の既知の長さを示す基準部位６の両端位置である６Ａと６Ｂ間の画像上における長さＬ１とこの基準部位６の両端位置である６Ａと６Ｂ間の実寸値Ｒ１との比Ｌ１：Ｒ１に基づいて、画像上における特定の領域の面積とこの特定の領域の実面積との比（Ｌ１）２：（Ｒ１）２が定められる。
【００４０】
ここで、測定対象部位３の領域３Ｇが占める画像上における面積はこの領域３Ｇを構成する画像上の画素数Ｎと画像上の１つの画素の面積Ｓとの積Ｎ×Ｓで示すことができる。また、画像上において、基準部位６の両端位置である６Ａと６Ｂ間にＭ個の画素が並び、１画素の大きさが縦横同じ長さの正方形で表されるものとすると、６Ａと６Ｂ間の画像上の長さがＬ１なので画像上における１画素の面積は、（Ｌ１／Ｍ）２となる。
【００４１】
したがって、測定対象部位３の領域３Ｇが占める画像上における面積Ｎ×ＳはＮ×（Ｌ１／Ｍ）２の式で示すことができ、また、画像上における特定の領域の面積とこの特定の領域の実面積との比は（Ｌ１）２：（Ｒ１）２で示されるので、領域３Ｇが占める実面積値ＳＳは、ＳＳ＝Ｎ×（Ｌ１／Ｍ）２×（Ｒ１）２／（Ｌ１）２の式によって算出することができる。上記演算が演算手段５０Ｂによって実施され、測定対象部位３の領域３Ｇが占める実面積値ＳＳが求められる。
【００４２】
演算手段５０Ｂによって求められた実面積値ＳＳは、信号制御部６０を通して結果表示用テレビモニタ１５の表示画面１６上に表示される。
【００４３】
上記のように本発明の第２の実施の形態によれば、放射線撮影により取得された被検物を表す画像データに基づいて測定対象部位の実面積を定量的に測定することができる。
【００４４】
なお、上記実施の形態において、テレビモニタ１０が、結果表示用テレビモニタ１５を兼用するようにしてもよい。
【００４５】
また、上記実寸値の入力、あるいは画像上の位置の入力等は、入力ペン、キーボード、あるいはマウスを用いる場合に限らずどのような手法を用いてもよい。
【００４６】
被検物測定装置には、必ずしも基準部位の両端位置を入力するマニュアルモードと、基準部位の両端位置を位置検出手段によって自動的に検出させる自動モードの両方を備える必要はなく、いずれか一方のモードのみを備えるようにしてもよい。
【００４７】
なお、被検物と基準部材との放射線撮影は同時に行なう場合に限らず、被検物と基準部材とを個別に同じ倍率で放射線撮影してそれぞれの画像データを取得し、これらの画像データを個別に表示画面上に表示するようにしてもよい。
【図面の簡単な説明】
【図１】本発明の実施の形態による被検物測定装置の概略構成を示す図
【図２】放射線撮影して取得された被検物の表示画面上に表示された画像を示す図
【図３】放射線撮影装置の概略構成を示す図
【図４】基準部材の既知の長さを示す部位の両端位置間の画像上における長さとこの部位の両端位置間の実寸との対応関係を示す図
【図５】第２の実施の形態の被検物測定装置の概略構成を示す図
【図６】放射線撮影して取得された画像データによって表される被検物および基準部材の画像を示す図
【符号の説明】
１　　被検物
２　　測定対象部位
５　　基準部材
６　　基準部位
１０　　テレビモニタ
１５　　結果表示用テレビモニタ
２０　　入力ペン
２５　　マウス
３０　　位置検出手段
３５　　画像入力部
４０　　キーボード
５５　　モード設定スイッチ
６０　　信号制御部
９０　　放射線撮影装置
１００Ａ　　被検物測定装置
【図１】
2004144651.tif 000003
【図２】
2004144651.tif 000004
【図３】
2004144651.tif 000005
【図４】
2004144651.tif 000006
【図５】
2004144651.tif 000007
【図６】
2004144651.tif 000008